(57)【特許請求の範囲】
【請求項１】
吸引ポート、排出ポート、およびチャンバからなるハウジングと、
前記チャンバ内に挿入されて前記吸引ポートと前記排出ポートに連通する流路部、および弁を可動させて該流路部を開閉するソレノイド部を有する第１電磁弁と、
前記チャンバ内に挿入されて前記吸引ポートと前記排出ポートに連通する流路部、および弁を可動させて該流路部を開閉するソレノイド部を有する第２電磁弁と、
前記第１電磁弁の流路部の一方と前記第２電磁弁の流路部の一方を合流して前記吸引ポートへ接続する、前記ハウジングに設けた接続通路とを備え、
前記ハウジングは、前記吸引ポートを、前記一対の電磁弁の流路部間に配置し、前記吸引ポートの中心軸位置を、前記一対の電磁弁の流路部間の中心位置に配置することを特徴とする２連電磁弁。
【請求項２】
前記一対の電磁弁のうちの一方の電磁弁は流路部を開弁方向に流体が流れ、他方の電磁弁は流路部を閉弁方向に流体が流れる構成であることを特徴とする請求項１記載の２連電磁弁。
【請求項３】
前記一対の電磁弁へそれぞれ駆動信号を出力して、該駆動信号のＤｕｔｙ比に応じて弁開度を個別に調整する制御部を備えることを特徴とする請求項１記載の２連電磁弁。
【請求項４】
前記制御部は、前記一対の電磁弁へ出力する駆動信号のＤｕｔｙ周期の位相を互いに異ならせることを特徴とする請求項３記載の２連電磁弁。
【請求項５】
前記制御部は、前記一対の電磁弁へ出力する駆動信号のＤｕｔｙ周期の位相を互いに１８０度反転させることを特徴とする請求項４記載の２連電磁弁。
【請求項６】
前記制御部は、前記一対の電磁弁のうちの一方の電磁弁を全開または全閉させ、他方の電磁弁の開度を調整させることを特徴とする請求項３記載の２連電磁弁。
【請求項７】
前記制御部は、前記一対の電磁弁のうちの一方の電磁弁の最大流量を越える流量領域を制御する場合に、該一方の電磁弁を全開させると共に他方の電磁弁の開度を調整することを特徴とする請求項３記載の２連電磁弁。
【請求項８】
前記一対の電磁弁は、最大流量が同一であり、
前記制御部は、前記最大流量未満の流量領域を制御する場合に、一方の電磁弁を全閉させると共に他方の電磁弁の開度を調整し、前記最大流量以上の流量領域を制御する場合に、一方の電磁弁を全開させると共に他方の電磁弁の開度を調整することを特徴とする請求項７記載の２連電磁弁。
【請求項９】
前記一対の電磁弁は、一方の電磁弁の最大流量に対し他方の電磁弁の最大流量が小さく、
前記制御部は、小さい方の最大流量未満の流量領域を制御する場合に、該小さい最大流量の電磁弁の開度を調整すると共に他方の電磁弁を全閉させ、該小さい方の最大流量以上の流量領域を制御する場合に、該小さい最大流量の電磁弁を全開させると共に他方の電磁弁の開度を調整することを特徴とする請求項７記載の２連電磁弁。
【請求項１０】
燃料タンク内で揮発した蒸散ガスを回収するキャニスタと、
前記キャニスタで回収した蒸散ガスを、負圧により吸引して再燃焼させるエンジンと、
前記キャニスタと前記エンジンを接続する配管を流れる蒸散ガス量を制御する請求項１記載の２連電磁弁とを備える蒸散ガス処理システム。
【発明の詳細な説明】
【技術分野】
【０００１】
この発明は、蒸散ガス処理システムにおいて燃料タンクからエンジンへ供給する蒸散ガス量を制御する２連電磁弁に関する。
【背景技術】
【０００２】
自動車の蒸散ガス処理システムは、燃料タンク内で揮発した蒸散ガスをキャニスタに一時的に吸着し、エンジン負圧を利用してエンジン内へ導入して再燃焼させることにより、外部への排出を防止している。近年、自動車のＨＥＶ（Ｈｙｂｒｉｄ  Ｅｌｅｃｔｒｉｃ  Ｖｅｈｉｃｌｅ）化等によるエンジン作動頻度の低下により、エンジン負圧を利用した蒸散ガス処理システムの処理能力が低下している。エンジン作動頻度が低下する分、負圧発生時にエンジンへ供給する蒸散ガス流量を増大させるために、キャニスタとエンジンを連通する通路に設置する電磁弁の大流量化が求められている。
【０００３】
しかしながら、電磁弁の大流量化は、母体のスケールアップおよび低流量精度（流量分解能）の悪化など様々な弊害が生じる。そこで、従来は小流量の電磁弁を並列に配置することで大流量制御を可能にしている（例えば、特許文献１，２参照）。複数の電磁弁を用いることにより、単体の電磁弁で大流量を制御するものに比べ、流量分解能の向上による制御性の向上が可能になる。特に特許文献１では、正吸引タイプの電磁弁と逆吸引タイプの電磁弁を並列に配置して、ジャンピングと呼ばれる開弁時に急激に流量が増減する現象が生じる可能性のある低流量域では逆吸引タイプのみを駆動すると共に、ジャンピングがほぼ生じない、低流量域よりも大きな流量域では正吸引タイプと逆吸引タイプの両方を駆動するようにしてジャンピングを抑制し、低流量精度の向上を図っていた。
【０００４】
電磁弁を大流量化すると、空気が流れることにより発生する脈動音も大きくなる。そのため、大流量化した際の脈動音対策として、従来は大容量チャンバを電磁弁のポート間に挿入するが、レイアウト性が悪化してしまう。そこで、特許文献１では、２つの電磁弁をチャンバに挿入して内蔵させ、動作タイミングを変化させることで、電磁弁の開閉動作に起因する圧力変動をチャンバ内で合成して相殺するようにしていた。
【先行技術文献】
【特許文献】
【０００５】
【特許文献１】国際公開第２００７／２０７３６号公報
【特許文献２】特開平７−４３２４号公報
【発明の概要】
【発明が解決しようとする課題】
【０００６】
しかしながら、特許文献１では１つの入力ポートから２つの電磁弁に導入された蒸散ガスが２方向に分岐した出力ポートへとそれぞれ導出され、これら出力ポートが下流側で一本に合流してエンジン側へ接続されているので、圧損が生じる課題があった。そのため、圧損により流量が低下してしまい、個々の電磁弁の制御能力（制御流量）を十分に生かしきれていなかった。また、脈動音対策用のチャンバを電磁弁と一体化して母体をスケールアップすることによるレイアウト性の悪化、および動作タイミングを変化させることによる制御性の複雑化等の問題もあった。
【０００７】
特許文献２でも、２つ電磁弁のポート間に別途、大容量チャンバを接続する必要があるので、レイアウト性が悪化すると共に、接続配管で圧損が生じて流量が低下してしまう課題があった。
【０００８】
この発明は、上記のような課題を解決するためになされたもので、２個の電磁弁を使用することにより、単体の電磁弁で大流量を制御するものに比べて流量分解能を向上させて制御性を向上させ、かつ、チャンバと一体化することにより、配管を簡素化して圧損を低減すると共に脈動音を低減することを目的とする。
【課題を解決するための手段】
【０００９】
この発明の２連電磁弁は、吸引ポート、排出ポート、およびチャンバからなるハウジングと、チャンバ内に挿入されて吸引ポートと排出ポートに連通する流路部、および弁を可動させて該流路部を開閉するソレノイド部を有する第１電磁弁と、チャンバ内に挿入されて吸引ポートと排出ポートに連通する流路部、および弁を可動させて該流路部を開閉するソレノイド部を有する第２電磁弁と、第１電磁弁の流路部の出口側と第２電磁弁の流路部の出口側を合流させて吸引ポートへ導く、ハウジングに設けた合流通路とを備え、ハウジングは、吸引ポートを、一対の電磁弁の流路部間に配置し、吸引ポートの中心軸位置を、一対の電磁弁の流路部間の中心位置に配置することを特徴とするものである。
【００１０】
また、この発明の蒸散ガス処理システムは、燃料タンク内で揮発した蒸散ガスを回収するキャニスタと、キャニスタで回収した蒸散ガスを、負圧により吸引して再燃焼させるエンジンと、キャニスタとエンジンを接続する配管を流れる蒸散ガス量を制御する上記２連電磁弁とを備えるものである。
【発明の効果】
【００１１】
この発明によれば、一方のポートから導入した流体をチャンバおよび一対の電磁弁を経由して他方のポートから導出するようにしたので、単体の電磁弁で大流量を制御するものに比べて流量分解能を向上させて制御性を向上することができ、かつ、配管を簡素化して圧損を低減すると共に脈動音を低減することができる。
【００１２】
この発明によれば、上記２連電磁弁を用いることにより、ＨＥＶ化等によりエンジン作動頻度の低い自動車の蒸散ガス処理システムであっても蒸散ガス量を増大させることができ、処理能力を向上させることができる。
【図面の簡単な説明】
【００１３】
【図１】この発明の実施の形態１に係る２連電磁弁を適用する蒸散ガス処理システムの全体構成図である。
【図２】実施の形態１に係る２連電磁弁の構成を示す縦断面図である。
【図３】実施の形態１に係る２連電磁弁の構成を示す外観斜視図である。
【図４】実施の形態１に係る２連電磁弁の構成を示す正面図である。
【図５】実施の形態１に係る２連電磁弁を図４に示すＡＡ線に沿って切断した断面図である。
【図６】実施の形態１に係る２連電磁弁の動作タイミングを示すグラフであり、図６（ａ）は第１電磁弁、図６（ｂ）は第２電磁弁、図６（ｃ）は２連電磁弁全体を示す。
【図７】実施の形態１に係る２連電磁弁の動作タイミングの他の例を示すグラフである。
【図８】実施の形態１に係る２連電磁弁の流量特性（破線）を示すグラフである。
【図９】実施の形態１に係る２連電磁弁の流量特性（破線）の他の例を示すグラフである。
【図１０】この発明の実施の形態２に係る２連電磁弁の構成を示す縦断面図である。
【図１１】実施の形態２に係る２連電磁弁の流量特性（破線）を示すグラフであり、高負圧域での駆動例である。
【図１２】実施の形態２に係る２連電磁弁の流量特性（破線）を示すグラフであり、低負圧域での駆動例である。
【発明を実施するための形態】
【００１４】
以下、この発明をより詳細に説明するために、この発明を実施するための形態について、添付の図面に従って説明する。
実施の形態１．
図１に示す蒸散ガス処理システムでは、燃料タンク１内で揮発した蒸散ガスをキャニスタ２内で一時的に回収し、エンジン７内に発生する負圧を利用してキャニスタ２からエンジン７へ蒸散ガスを引き込んで再燃焼させることで、外部への排出を防止する。キャニスタ２とエンジン７をつなぐ吸引通路３には、チャンバ５と一体化した２連電磁弁４が配設され、制御部８の駆動信号に応じて蒸散ガス量を制御する。
【００１５】
図２は２連電磁弁４の構成を示す縦断面図である。この２連電磁弁４は、吸引ポート３１、排出ポート３２、およびこれらのポートに連通するチャンバ５からなるハウジング３０と、チャンバ５内に挿入されて吸引ポート３１と排出ポート３２に連通する筒状流路（流路部）１８，２８、およびプランジャ（弁）１６，２６を可動させて筒状流路１８，２８を開閉するソレノイド部をそれぞれ有する一対の電磁弁１０，２０と、筒状流路１８，２８のそれぞれの出口側を合流して吸引ポート３１へ接続するバルブ連通路（接続通路）３５とを備える。説明のため、以下では一方を第１電磁弁１０、他方を第２電磁弁２０と呼び分ける。
【００１６】
第１電磁弁１０は、ソレノイド部として、ボビンに導線を巻回してなるコイル１１と、コイル１１へ通電する給電端子１２と、コイル１１への通電により励磁されるコア１３と、コア１３と共に磁気回路を構成する板金部材のヨーク１４およびプレート１５と、コア１３に吸引されるプランジャ１６と、プランジャ１６をコア１３の吸引方向とは反対の方向へ付勢するスプリング１７とを備える。また第１電磁弁１０は、チャンバ５内に挿入されてプランジャ１６の可動により開閉する筒状流路１８と、チャンバ５と筒状流路１８との隙間を閉塞するＯリング１９，１９とを備える。この筒状流路１８の一端はプランジャ１６が当接するバルブシート１８ａとなり、他端はチャンバ５に連通する。
【００１７】
同様に、第２電磁弁２０もコイル２１と、給電端子２２と、コア２３と、ヨーク２４と、プレート２５と、プランジャ２６と、スプリング２７と、筒状流路２８、バルブシート２８ａと、Ｏリング２９，２９とを備える。
【００１８】
制御部８は、エンジン７の動作制御を行うエンジンコントロールユニット（以下、ＥＣＵ）または専用の制御ユニットで構成する。制御部８から給電端子１２，２２へ所定周波数の駆動信号をそれぞれ出力して、コイル１１，２１に通電してプランジャ１６，２６を可動させ、バルブシート１８ａ，２８ａの開度を制御する。
【００１９】
ハウジング３０には、吸引通路３に連結する吸引ポート３１および排出ポート３２と、これらポートに連通する脈動音低減用のチャンバ５と、第１電磁弁１０の筒状流路１８を挿入する挿入穴３３と、第２電磁弁２０の筒状流路２８を挿入する挿入穴３４と、第１電磁弁１０を通過した流体および第２電磁弁２０を通過した流体を合流させて吸引ポート３１へ導くバルブ連通路３５とを備える。図示例では、キャニスタ２とチャンバ５の間を接続して、キャニスタ２で回収した蒸散ガスをチャンバ５に導入するポートを排出ポート３２と呼び、チャンバ５とエンジン７の間を接続して、チャンバ５に導入した蒸散ガスをエンジン７へ導出するポートを吸引ポート３１と呼ぶ。なお、図示例はハウジング３０の底面に蓋体３０ａを溶着してチャンバ５を形成している。
【００２０】
給電端子１２からコイル１１へ通電することで、コア１３、ヨーク１４、プレート１５、プランジャ１６に磁界が発生し、プランジャ１６がコア１３に吸引されて、バルブシート１８ａが開弁する。すると、排出ポート３２、チャンバ５、筒状流路１８の内周側、バルブシート１８ａ、吸引ポート３１が連通し、エンジン７で発生する負圧により蒸散ガスが吸引されてキャニスタ２からエンジン７へと流入する。
コイル１１への通電を止めると、プランジャ１６がスプリング１７に付勢されてバルブシート１８ａを閉弁し、蒸散ガスのエンジン７への流入が止まる。
【００２１】
同様に、給電端子２２からコイル２１へ通電することで、コア２３、ヨーク２４、プレート２５、プランジャ２６に磁界が発生し、バルブシート２８ａが開弁する。すると、排出ポート３２、チャンバ５、筒状流路２８の内周側、バルブシート２８ａ、バルブ連通路３５、吸引ポート３１が連通し、エンジン７で発生する負圧により蒸散ガスが吸引されてキャニスタ２からエンジン７へと流入する。
コイル２１への通電を止めると、プランジャ２６がスプリング２７に付勢されてバルブシート２８ａを閉弁し、蒸散ガスのエンジン７への流入が止まる。
【００２２】
このように、第１電磁弁１０および第２電磁弁２０と吸引ポート３１とを連通するバルブ連通路３５をハウジング３０内に形成したので、電磁弁を並列接続する配管を簡素化できる。
なお、図２では蒸散ガスが筒状流路１８，２８の内周側からバルブシート１８ａ，２８ａを通って外周側へ流れる、即ち負圧印加方向とプランジャ１６，２６の開弁方向が同一であって、負圧が開弁方向に働く逆吸引仕様の第１電磁弁１０と第２電磁弁２０を用いたが、それぞれ正吸引仕様にしてもよい。正吸引仕様については後述の実施の形態２で説明する。
【００２３】
次に、ハウジング３０の別の構成例を説明する。図３は、２連電磁弁４の外観斜視図である。図３ではハウジング３０に第１電磁弁１０のみを取り付けた状態を示す。また、２連電磁弁４の正面図を図４に示し、ＡＡ線に沿って切断した断面図を図５に示す。
【００２４】
ハウジング３０は、樹脂製の直方体の一面に凹部を形成した形状とし、その直方体の内部を空洞にしてチャンバ５として用いる。ハウジング３０の底面は、別体の蓋体３０ａを溶着してなる。また、凹部の底面に挿入穴３３，３４を開設し、凹部の側面に第１電磁弁１０を保持する保持爪３６と、第２電磁弁２０を保持する保持爪３７とを形成する。ハウジング３０に第１電磁弁１０を取り付ける際には、第１電磁弁１０の筒状流路１８を挿入穴３３に挿入し、プレート１５を挿入穴３３の縁へ掛止するように載置し、さらにヨーク１４の縁に保持爪３６を係止して第１電磁弁１０を保持させる。同様に第２電磁弁２０も筒状流路２８を挿入穴３４へ挿入し、ヨーク２４の縁に保持爪３７を係止する。このように、第１電磁弁１０、第２電磁弁２０およびチャンバ５を一体化できるので、それぞれを個別に構成した場合に比べて構成を簡素化でき、かつ、部品点数を削減することができる。
【００２５】
また、図２ではハウジング３０の対向する２面に吸引ポート３１と排出ポート３２をそれぞれ形成して、吸引ポート３１と排出ポート３２が異なる方向を向くようにしたが、ポートの配置位置はこれに限定されるものではない。例えば図３〜図５に示すように、吸引ポート３１を、筒状流路１８と筒状流路２８の間に配置することにより、バルブシート１８ａ，２８ａから吸引ポート３１までの距離が短くなり、通気抵抗を低減させる効果がある。さらに好ましくは、吸引ポート３１の中心軸Ｘ３の位置を、筒状流路１８の中心軸Ｘ１と筒状流路２８の中心軸Ｘ２の中間位置に配置することにより、通気抵抗を最小限に抑えることが可能となる。これにより、圧損を低減して流量を増加させることができる。この構成の場合には、図５に示すように吸引ポート３１がバルブ連通路３５を兼ねる。
【００２６】
なお、吸引ポート３１と排出ポート３２の配置位置を入れ替えても同様の効果がある。その場合には、筒状流路１８，２８の間に配置した排出ポート３２から流体が導入され、バルブ連通路３５で流体が分岐して筒状流路１８，２８へ導かれ、バルブシート１８ａ，２８ａをそれぞれ通過してチャンバ５内で合流し、チャンバ５に形成した吸引ポート３１から導出されることになる。
【００２７】
また、図３〜図５に示すように、給電端子１２，２２、吸引ポート３１、および排出ポート３２の突出方向を同じにすることにより、省スペース化およびレイアウト性の向上を図ることができる。
【００２８】
次に、２連電磁弁４の脈動音を低減させる動作例を説明する。
図６は、２連電磁弁４の動作タイミングを示すグラフであり、図６（ａ）は第１電磁弁１０、図６（ｂ）は第２電磁弁２０、図６（ｃ）は２連電磁弁４全体を示す。各グラフとも横軸に時間［ｍｓ］、縦軸に流量Ｑ［Ｌ／ｍｉｎ］を示す。制御部８が出力する駆動信号は、所定のＤｕｔｙ周期Ｔを有し、Ｄｕｔｙ比が大きくなるにつれ流量が増大する。図６（ａ）および図６（ｂ）に示すように、互いの駆動信号の位相を１８０度ずらして波形を反転させ、第１電磁弁１０と第２電磁弁２０の駆動周期をずらすことで、図６（ｃ）に示すように脈動波形が連続波形になる。この結果、２連電磁弁４の脈動を低減することができる。
【００２９】
あるいは、図７に示す動作タイミングで２連電磁弁４を制御してもよい。図７（ａ）に示すように第１電磁弁１０を常時開弁させ（または常時閉弁させ）、図７（ｂ）に示すように第２電磁弁２０のＤｕｔｙ比を調節して流量を制御した場合、図７（ｃ）に示すように第２電磁弁２０の脈動のみ発生する。この結果、２連電磁弁４全体としての脈動を低減することができる。なお、第１電磁弁１０のＤｕｔｙ比を調節して流量を制御し、第２電磁弁２０を常時開弁（または常時閉弁）させてもよいことは言うまでもない。
【００３０】
図６または図７の動作タイミングで２連電磁弁４を駆動することにより、脈動を低減することができるので、脈動低減用のチャンバ５も小さい容量で足りる。よって、電磁弁単体で大流量を制御する場合に必要な脈動低減用のチャンバの容量に比べ、２連電磁弁４に必要となるチャンバ５の容量を小さくでき、レイアウト性の向上に繋がる。また、小流量の電磁弁を並列に接続して大流量を制御する場合に必要な脈動低減用のチャンバの容量に比べても、２連電磁弁４に必要となるチャンバ５の容量は小さくて足り、レイアウト性の向上に繋がる。
【００３１】
次に、２連電磁弁４の低流量精度を向上させる動作例を説明する。
図８は、２連電磁弁４の流量特性（破線）を示すグラフであり、横軸に駆動信号のＤｕｔｙ比［％］、縦軸に流量Ｑ［Ｌ／ｍｉｎ］を示す。第１電磁弁１０と第２電磁弁２０の最大流量はそれぞれ０．５×Ｑ０ずつの同一流量とし、２連電磁弁４全体の最大流量をＱ０とする。実線は、最大流量Ｑ０の電磁弁（単体）の流量特性、または最大流量０．５×Ｑ０の電磁弁を２個同時駆動させた場合の流量特性を示す。
【００３２】
自動車における蒸散ガス処理システムにおいて、キャニスタ２内に蓄積した高濃度の蒸散ガスをエンジン７内で燃焼させる上で、２連電磁弁４の流量分解能の悪化は蒸散ガス処理の効率を低下させる。Ｄｕｔｙ駆動方式の電磁弁を単体で用いて大流量制御を行う場合、または小流量の電磁弁を２個用いて同時駆動により大流量制御を行う場合、図８の実線で示すようにＤｕｔｙ比に応じた流量Ｑの変化量（ΔＱ）が大きいため、流量分解能の悪化は避けられない。そこで、本実施の形態１に係る２連電磁弁４では、小流量の電磁弁を２個用いて、０〜０．５×Ｑ０までの流量領域は第１電磁弁１０を常時閉弁させると共に第２電磁弁２０をＤｕｔｙ駆動させて流量制御を行い、０．５×Ｑ０〜Ｑ０までの流量領域は第１電磁弁１０を常時開弁させると共に第２電磁弁２０をＤｕｔｙ駆動させて流量制御を行う。これにより、大流量制御における低流量精度（流量分解能）の向上が可能となる。なお、第２電磁弁２０を常時閉弁または常時開弁させると共に、第１電磁弁１０をＤｕｔｙ駆動させてもよいことは言うまでもない。
【００３３】
図８では、最大流量が同じ第１電磁弁１０と第２電磁弁２０を使用する場合の例を示したが、最大流量が異なる第１電磁弁１０と第２電磁弁２０を使用して、低流量域の分解能をさらに向上させることもできる。
図９の例では、２連電磁弁４全体の最大流量をＱ０とし、例えば第１電磁弁１０の最大流量を０．２５×Ｑ０、第２電磁弁２０の最大流量を０．７５×Ｑ０とする。０〜０．２５×Ｑ０までの流量領域は第２電磁弁２０を常時閉弁させると共に第１電磁弁１０をＤｕｔｙ駆動させて流量制御を行い、０．２５×Ｑ０〜Ｑ０までの流量領域は第１電磁弁１０を常時開弁させると共に第２電磁弁２０をＤｕｔｙ駆動させて流量制御を行う。これにより、２連電磁弁４を大流量化させつつ、更なる低流量制御（流量分解能）の向上が可能となる。
【００３４】
第１電磁弁１０を小流量化、第２電磁弁２０を大流量化するために、例えば第１電磁弁１０のバルブシート１８ａを縮径して流量を低減させる。バルブシート１８ａの縮径だけであれば、第１電磁弁１０と第２電磁弁２０の部品の大部分は共通に使用でき、汎用性が高い。または、例えば第２電磁弁２０のバルブシート２８ａを拡径すると共にプランジャ２６を拡径して流量を増大させ、プランジャ２６拡径に伴いコイル２１を大型化してもよい。
なお、第１電磁弁１０の最大流量を大きく、第２電磁弁２０の最大流量を小さくしてもよいことは言うまでもない。
【００３５】
また、図８および図９に示す動作時の脈動は、Ｄｕｔｙ駆動させる１台分のみになるので、図７に示す場合と同様に脈動低減効果がある。
【００３６】
以上より、実施の形態１に係る２連電磁弁４は、吸引ポート３１、排出ポート３２、およびチャンバ５からなるハウジング３０と、チャンバ５内に挿入されて吸引ポート３１と排出ポート３２に連通する筒状流路１８、およびプランジャ１６を可動させて筒状流路１８を開閉するソレノイド部を有する第１電磁弁１０と、同じくチャンバ５内に挿入されて吸引ポート３１と排出ポート３２に連通する筒状流路２８、およびプランジャ２６を可動させて筒状流路２８を開閉するソレノイド部を有する第２電磁弁２０と、筒状流路１８，２８の各一方側を合流して吸引ポート３１へ導く、ハウジング３０に形成したバルブ連通路３５とを備えるように構成した。このため、２個の電磁弁を使用することにより、単体の電磁弁で大流量を制御するものに比べて流量分解能を向上させて制御性を向上することができる。また、２個の電磁弁をチャンバと一体化すると共に各電磁弁を通過した流体を合流させて吸引ポートへ導くことにより、配管を簡素化して圧損を低減することができると共に脈動音を低減できる。さらに、この２連電磁弁４を蒸散ガス処理システムに用いることにより、ＨＥＶ化等によりエンジン作動頻度の低い自動車の蒸散ガス処理システムであっても蒸散ガス量を増大させることができ、処理能力を向上させることができる。
【００３７】
また、実施の形態１によれば、ハウジング３０は、吸引ポート３１および排出ポート３２のいずれか一方を、筒状流路１８，２８間に配置するようにしたので、通気抵抗を低減させて、圧損を抑えることができる。
特に、吸引ポート３１および排出ポート３２のいずれか一方の中心軸位置を、筒状流路１８，２８間の中心位置に配置することにより、通気抵抗を最小限に抑えることができる。
【００３８】
また、実施の形態１によれば、第１電磁弁１０および第２電磁弁２０へそれぞれ駆動信号を出力して、駆動信号のＤｕｔｙ比に応じて弁開度を個別に調整する制御部８を備え、駆動信号のＤｕｔｙ周期の位相を互いに異ならせるようにしたので、脈動の発生タイミングをずらして相互のキャンセル効果を期待できる。また、脈動を低減した分、チャンバ５を小型化でき、レイアウト性が向上する。
特に、駆動信号のＤｕｔｙ周期の位相を互いに１８０度反転させることにより、脈動波形を連続波形にして、脈動を低減できる。また、第１電磁弁１０と第２電磁弁２０のうちの一方の電磁弁を全開または全閉させ、他方の電磁弁の開度を調整させることにより、発生する脈動は小流量の電磁弁１台分のみにでき、２連電磁弁４全体としての脈動音を低減できる。
【００３９】
また、実施の形態１によれば、制御部８は、第１電磁弁１０および第２電磁弁２０のうちの一方の電磁弁の最大流量を越える流量領域を制御する場合に、一方の電磁弁を全開させると共に他方の電磁弁の開度を調整するように構成した。このため、単体の電磁弁で大流量を制御するものに比べて流量分解能を向上させることができる。また、小流量の電磁弁１台分の脈動のみが発生し、２連電磁弁４全体としての脈動を低減できる。
特に、第１電磁弁１０と第２電磁弁２０の最大流量を同一にした２連電磁弁４に対して、制御部８は、最大流量未満の流量領域を制御する場合に、一方の電磁弁を全閉させると共に他方の電磁弁の開度を調整し、最大流量以上の流量領域を制御する場合に、一方の電磁弁を全開させると共に他方の電磁弁の開度を調整する。
さらに、一方の電磁弁の最大流量に対し他方の電磁弁の最大流量が小さい２連電磁弁４に対しては、制御部８は、小さい方の最大流量未満の流量領域を制御する場合に、この小さい最大流量の電磁弁の開度を調整すると共に他方の電磁弁を全閉させ、小さい方の最大流量以上の流量領域を制御する場合に、この小さい最大流量の電磁弁を全開させると共に他方の電磁弁の開度を調整することにより、低流量域の流量分解能をさらに向上させることができる。
【００４０】
実施の形態２．
上記実施の形態１では、第１電磁弁１０および第２電磁弁２０をともに逆吸引仕様にしたが、異なる吸引仕様にしてもよい。
図１０は、第１電磁弁１０および第２電磁弁２０の吸引仕様が異なる構成の２連電磁弁４の構成例を示す。なお、図１０において図２〜図６と同一または相当の部分については同一の符号を付し説明を省略する。
【００４１】
本実施の形態２では、第１電磁弁１０を、負圧印加方向がプランジャ１６開弁方向と同一であって負圧が開弁方向に働く逆吸引仕様とし、第２電磁弁２０を、負圧印加方向がプランジャ１６閉弁方向と同一であって負圧が閉弁方向に働く正吸引仕様とする。従って、第１電磁弁１０においてコイル１１に通電すると、プランジャ１６がコア１３に吸引されてバルブシート１８ａが開弁し、蒸散ガスが筒状流路１８の内周側からバルブシート１８ａを通って吸引ポート３１の方向へ流れる。一方の第２電磁弁２０においてコイル２１に通電するとプランジャ２６がコア２３に吸引されてバルブシート２８ａが開弁し、蒸散ガスが筒状流路２８の外周側からバルブシート２８ａを通って筒状流路２８内周側に入り、バルブ連通路３５、吸引ポート３１の方向へ流れる。
【００４２】
図１１は、高負圧域で電磁弁を駆動させた場合の流量特性を示すグラフであり、図１２は、低負圧域で電磁弁を駆動させた場合の流量特性を示すグラフである。どちらのグラフも横軸に駆動信号のＤｕｔｙ比［％］、縦軸に流量Ｑ［Ｌ／ｍｉｎ］を示す。本実施の形態２に係る２連電磁弁４の流量特性を破線で示す。第１電磁弁１０および第２電磁弁２０の最大流量はそれぞれ０．５×Ｑ０であり、２連電磁弁４全体で最大流量Ｑ０となる。また、最大流量Ｑ０の逆吸引仕様の電磁弁（単体）の流量特性を太線で示し、最大流量Ｑ０の正吸引仕様の電磁弁（単体）の流量特性を細線で示す。
【００４３】
逆吸引仕様の電磁弁は、高負圧域での閉弁力を必要とすることから、プランジャを閉弁方向へ付勢するスプリングの付勢力を高める。そのため、低負圧域での閉弁力も上昇し、図１２に太線で示すようにＤｕｔｙ比をある程度大きくしないと蒸散ガスが流れず、かつ、その後の流量特性の傾き（即ち、立ち上がり流量）も大きくなり、動作性（流量分解能）が悪くなる。そこで、低負圧域での動作性を向上させるために、コイルを大型化したり磁気効率を改善したりして、高電磁吸引力をもたせる必要がある。
一方、正吸引仕様の電磁弁は、図１１に細線で示すように高負圧時にＤｕｔｙ比をある程度大きくしないと蒸散ガスが流れず、かつその後の立ち上がり流量も大きくなり、高負圧域での動作性（流量分解能）が悪い。そこで、高負圧域での動作性を向上させるために、コイルを大型化したり磁気効率を改善したりして、高電磁吸引力をもたせる必要がある。
このように、逆吸引仕様では低負圧時の動作性向上のために高電磁吸引力が必要となり、正吸引仕様では高負圧時の動作性向上のために高電磁力吸引が必要となるトレードオフの関係にあり、大流量制御のためには母体のスケールアップは避けられない。
【００４４】
そこで、本実施の形態２では電磁吸引力およびスプリング１７，２７の付勢力はそのままに、第１電磁弁１０を逆吸引仕様とし、第２電磁弁２０を正吸引仕様にする。そして、図１１に点線で示すように、高負圧域では逆吸引仕様の第１電磁弁１０を駆動させつつ、正吸引仕様の第２電磁弁２０は常時閉弁または常時開弁させることにより、高負圧域での動作性を向上させる。これにより、特に図１１の斜線部分の低流量領域において、太線で示す大流量の逆吸引仕様の電磁弁（単体）と比べて、点線で示す第１電磁弁１０の立ち上がり流量が小さくなり、流量分解能が向上する。また、細線で示す大流量の正吸引仕様の電磁弁（単体）と比べて、点線で示す第１電磁弁１０の蒸散ガスが流れ始めるＤｕｔｙ比が小さくなり、その後の立ち上がり流量も小さくなるので、流量分解能が向上する。
【００４５】
また、図１２に点線で示すように、低負圧域では正吸引仕様の第２電磁弁２０を駆動させつつ、逆吸引仕様の第１電磁弁１０は常時閉弁または常時開弁させることにより、低負圧域での動作性を向上させる。これにより、上記同様、図１２の斜線部分の低流量領域において、太線で示す大流量の逆吸引仕様の電磁弁（単体）および細線で示す大流量の正吸引仕様の電磁弁（単体）と比べて、点線で示す第２電磁弁２０の流量分解能が向上する。
【００４６】
このように正吸引仕様の電磁弁と逆吸引仕様の電磁弁を並列に接続することで、低電磁吸引力のまま、全負圧域での動作性を向上できる。よって、コイル１１，２１を小型化でき、２連電磁弁４の小型化および軽量化が可能となる。また、図１１および図１２に示す動作時の脈動は、Ｄｕｔｙ駆動させる１台分のみになるので、上記実施の形態１の図７に示す場合と同様に脈動低減効果がある。
【００４７】
なお、スロットルバルブ６とエンジン７の間に圧力センサを設置し、制御部８が圧力センサの検出値に応じて高負圧か低負圧かを判断して、第１電磁弁１０および第２電磁弁２０を駆動制御すればよい。
また、第１電磁弁１０を正吸引仕様にして、第２電磁弁２０を逆吸引仕様にしてもよいことは言うまでもない。
【００４８】
さらに、図１０ではハウジング３０の対向する２面に吸引ポート３１と排出ポート３２をそれぞれ形成して、吸引ポート３１と排出ポート３２が異なる方向を向くようにしたが、これに限定されるものではなく、図３〜図５に示すように吸引ポート３１および排出ポート３２のどちらか一方を、筒状流路１８，２８の間に配置して、通気抵抗を抑制するようにしてもよい。
【００４９】
以上より、実施の形態２に係る２連電磁弁４は、第１電磁弁１０と第２電磁弁２０のうちの一方の電磁弁は筒状流路１８，２８を開弁方向に流体が流れ、他方の電磁弁は筒状流路１８，２８を閉弁方向に流体が流れるように構成したので、流量分解能を向上させて制御性を向上することができる。また、低流量コイル１１，２１を小型化できるようになり、結果、２連電磁弁４の小型化および軽量化が可能となる。
なお、本願発明はその発明の精神の範囲内において、各実施の形態の自由な組合せ、あるいは変形が可能である。
【図１】
0005436679.tif 000002
【図２】
0005436679.tif 000003
【図３】
0005436679.tif 000004
【図４】
0005436679.tif 000005
【図５】
0005436679.tif 000006
【図６】
0005436679.tif 000007
【図７】
0005436679.tif 000008
【図８】
0005436679.tif 000009
【図９】
0005436679.tif 000010
【図１０】
0005436679.tif 000011
【図１１】
0005436679.tif 000012
【図１２】
0005436679.tif 000013